(57)【要約】【課題】本発明は指紋認証方法に関し、認証データの項目により、副走査方向のセンサや検知機構が必要になってしまい、指紋画像入力装置の製作コストが嵩んでしまう点を解消することが課題とする。【解決手段】指紋画像入力装置における指紋画像データを記憶装置に登録し、個人の認証の際に前記登録された登録認証データ７と、認証対象の読込認証データ６とを比較する指紋認証方法において、前記登録認証データと読込認証データとの比較が、読み込まれた順であって、且つ、主走査方向のデータである指紋認証方法とする。【選択図】図２
2005316844.tif 000002
【特許請求の範囲】
【請求項１】
指紋画像入力装置における指紋画像データを記憶装置に登録し、個人の認証の際に前記登録された登録認証データと、認証対象の読込認証データとを比較する指紋認証方法において、
前記登録認証データと読込認証データとの比較が、読み込まれた順であって、且つ、主走査方向のデータであること、
を特徴とする指紋認証方法。
【請求項２】
登録認証データは、読み込まれた順に前後して隣接するラインデータ同士が比較されて、当該後のラインデータが前のラインデータと同一であるときには消去されて、構成されていること、
を特徴とする請求項１に記載の指紋認証方法。
【請求項３】
登録認証データと読込認証データとの比較行程においては、連続して読み込まれた読込認証データにおいて前後に隣接するラインデータ同士が比較され、そのうちの後のラインデータが前のラインデータと同一であるときには、当該後のラインデータがスキップされて、比較されること、
を特徴とする請求項１または２に記載の指紋認証方法。
【発明の詳細な説明】
【技術分野】
【０００１】
本発明は、特定個人の認証に用いられる指紋認証方法において、指紋画像入力装置における指紋画像の特徴点抽出法を改良し、指紋照合の簡素化と前記指紋画像入力装置の低コストを達成する指紋認証方法に関するものである。
【背景技術】
【０００２】
従来、指紋認証方法では、指紋画像入力装置により、図３に示すように、人の指を指紋検知面上に当接させて所定の方向にスイープ（移動）させ、光源からの反射光を受光装置（ラインセンサ）でコントラストに応じて、例えば、２値化等のデジタル化をして、これを画像データとして読み取る。前記指の移動については、図３（Ｂ），（Ｃ）に示すように、副走査方向（指移動方向）のローラー等の移動検知センサにより、前記指の移動量を検知する。
【０００３】
これにより、前記ラインセンサによる主方向（横方向）の画像データと対応させて指紋画像データが得られる。そのほか、図３（Ａ）に示すように、ラインセンサを複数配置して、それぞれのラインデータの比較などを行い移動検知し、２次元（Ｘ−Ｙ）画像の比率を再現するものがある。また、指紋検出面上の指は動かさないで、光源及びセンサー等を副走査方向にステッピングモータ等の駆動装置で移動させて２次元画像を再現するものもある。このようにして、指紋画像データを２次元画像として忠実に再現している。
【０００４】
そして、個人認証方法としては、認証項目のデータを比較することで行われることになる。このほか、指紋画像データを複数のブロックに分けて、その隆線方向をベクトル化して特徴点とするものが知られている。
【特許文献１】特開平９−１６７２２９号公報
【０００５】
しかしながら、前記画像データから特徴点として、特徴点の種類（端点や分岐点など），特徴点の方向，中心点からの距離をデータ化するには、リニアなラインセンサで取り込んだデータを、縦／横（Ｘ，Ｙ）方向の比率を一定にして読み込まなければならない。そのため、副走査方向の指の移動量を検知するセンサ若しくは検知機構が必要となり、指紋画像入力装置が大きくなりコンパクト化できないとともに、装置の製作コストが嵩み、認証項目のデータ算出処理に複雑なプログラム処理が必要となって、プログラム作成にもコストが嵩むことになる。
【発明の開示】
【発明が解決しようとする課題】
【０００６】
解決しようとする問題点は、認証データの項目により、副走査方向のセンサや検知機構が必要になってしまい、指紋画像入力装置の製作コストが嵩んでしまう点である。
【課題を解決するための手段】
【０００７】
本発明に係る指紋認証方法の上記課題を解決するための要旨は、指紋画像入力装置における指紋画像データを記憶装置に登録し、個人の認証の際に前記登録された登録認証データと、認証対象の読込認証データとを比較する指紋認証方法において、前記登録認証データと読込認証データとの比較が、読み込まれた順であって、且つ、主走査方向のデータであることである。
【０００８】
前記登録認証データは、読み込まれた順に前後して隣接するラインデータ同士が比較されて、当該後のラインデータが前のラインデータと同一であるときには消去されて、構成されていること、；
前記登録認証データと読込認証データとの比較行程においては、連続して読み込まれた読込認証データにおいて前後に隣接するラインデータ同士が比較され、そのうちの後のラインデータが前のラインデータと同一であるときには、当該後のラインデータがスキップされて、比較されることを含むものである。
【発明の効果】
【０００９】
本発明の指紋認証方法により、読み込まれた順に、主走査方向におけるラインデータにより認証するので、一ラインセンサのみで指紋認証が可能となる。また、副走査方向の移動速度のデータが不要となって、データの蓄積領域が小さくなり、より多くの認証データを登録できるようになる。
認証データの作成に要する手間も、データをそのまま順に並べればよいので、従来よりも省けるようになり、指紋画像の２次元化画像を効率的に作成できる。
更に、副走査方向の検知装置が不要となって、認証システムにおける指紋画像入力装置が簡素化されて、低コストになるとともにコンパクトになる。
更に、ラインセンサを複数カ所に設置して副走査方向の比率を一定にしていた従来例に対して、部品点数の減少により低コストに抑えられる。
【発明を実施するための最良の形態】
【００１０】
本発明の指紋認証方法は、例えば、図１に示すように、指紋画像入力装置１として、投光部２からの光が、プリズム部３において、認証対象の指４の凹凸に応じて、乱反射若しくは全反射し、その光がＣＣＤカメラ等の受光部５における受光素子であるラインセンサーに受光され、その光の強弱により得られるアナログデータがデジタル信号に変換され、指紋データとなるものである。
【００１１】
前記指紋画像入力装置において、受光部５においては、一本のラインセンサーにより受光される。そのラインセンサーのスキャン間隔は、例えば、１／２０００（秒）である。
【００１２】
指紋データの登録においては、次のようにして登録認証データが作成され、記憶装置（図示せず）に画像ファイルとして記憶される。即ち、前記指紋画像装置１において、受光部５によりスキャン操作が行われ、認証対象者の指４がプリズム部３の上において一方向にスイープされると、受光部５で連続して読み込まれた読込認証データ６が、図２に示すように、時間順に蓄積される。
【００１３】
そして、データ処理プログラムにおいて、前後に隣接するラインデータ同士、例えば、ラインデータ６ａ，６ｂが比較され、指４のスイープ速度が変化して間延びしたようなときには、当該後のラインデータ６ｂが前のラインデータ６ａと同一であり、当該後のラインデータ６ｂがスキップされて、データとして蓄積されない。
【００１４】
このようにして、ラインデータ６ｃも、前記ラインデータ６ａと同じなので蓄積されず、その後の異なるデータのラインデータ６ｄが蓄積されることになる。そして、前記指４の指紋に関する登録認証データ７ができる。この登録認証データ７が記憶装置に記憶されるものである。なお、このように、時間的に前後するラインデータが、同一であることは、通常の指の指紋においては起こることがないので、当該同一ラインデータを消去しても不都合はない。
【００１５】
そして、個人認証の際には、前記指紋画像入力装置１からの指４の指紋を受光部５でスキャンし、その画像データを２次元化して、前記記憶装置から特定個人の登録認証データ７と、読込認証データ６とが一致するか否かを検証する。前記読込認証データ６においては、前後に同じラインデータがある場合には後のラインデータをスキップし、若しくは、消去し、前記登録認証データ７と比較を行う。そして、例えば、一致したなら、ドア（図示せず）の錠前装置に「解錠」を制御装置から電気的に指示するものである。
【図面の簡単な説明】
【００１６】
【図１】本発明に係る指紋認証方法に係る指紋画像入力装置１の概略構成図である。
【図２】同本発明の指紋認証方法における、認証方法の説明図である。
【図３】従来例に係る指紋画像入力装置における副走査方向の指の移動検知手段の説明図（Ａ），（Ｂ），（Ｃ）である。
【符号の説明】
【００１７】
１    指紋画像入力装置、
２    投光部、
３    プリズム部、
４    指、
５    受光部、
６    読込認証データ、     ６ａ，６ｂ，６ｃ，６ｄ          ラインデータ、
７    登録認証データ。
【図１】
2005316844.tif 000003
【図２】
2005316844.tif 000004
【図３】
2005316844.tif 000005